(57)【要約】【課題】隠蔽式の空気調和機などの天井吊り下げ物を支持するボルト部材の下部を固定できるようにし、天井吊り下げ物の振れ止め効果を発揮できるようにする。 【解決手段】振れ止め装置１は、平面視略矩形状であり、互いに平行な二つの側面のそれぞれの下部近傍においてボルト部材９を連結するための一対の取付片１１１が水平方向に所定間隔を隔てて設けられた天井吊り下げ物を振れ止めする装置である。この振れ止め装置１は、天井吊り下げ物の上面に沿うように配置される平板部１０と、平板部１０の両端に設けられ、天井吊り下げ物の正面及び背面の上端部に係合する第１係合部１２と、平板部１０から一対の取付片１１１の上方に延設され、一対の取付片１１１に連結されるボルト部材９を保持する保持部１１と、を有する構成である。【選択図】図１
2020169654.tif 000002
【特許請求の範囲】
【請求項１】
平面視略矩形状であり、互いに平行な二つの側面のそれぞれの下部近傍においてボルト部材を連結するための一対の取付片が水平方向に所定間隔を隔てて設けられた天井吊り下げ物の振れ止め装置であって、
前記天井吊り下げ物の前記一対の取付片が設けられた前記側面の上端近傍位置において前記天井吊り下げ物に取り付けられ、前記一対の取付片が設けられた前記側面に対して直角方向に延設された保持部を有し、前記保持部が前記ボルト部材を前記一対の取付片の上方で前記天井吊り下げ物に連結して保持することを特徴とする振れ止め装置。
【請求項２】
前記天井吊り下げ物の上面に対して位置決めされた状態で配置される平板部を更に有し、
前記保持部は、前記平板部から前記一対の取付片の上方に延設され、前記一対の取付片に連結される前記ボルト部材を、前記一対の取付片の上方で保持することを特徴とする請求項１に記載の振れ止め装置。
【請求項３】
前記平板部の両端に設けられる第１係合部を更に有し、前記第１係合部が前記天井吊り下げ物の正面及び背面の上端部に係合することを特徴とする請求項２に記載の振れ止め装置。
【請求項４】
前記平板部に設けられ、前記一対の取付片が設けられた前記側面の上端部に係合する第２係合部を更に有することを特徴とする請求項２又は３に記載の振れ止め装置。
【請求項５】
前記第２係合部は、締着部材によって前記一対の取付片が設けられた前記側面の上端部に係合した状態で固定されることを特徴とする請求項４に記載の振れ止め装置。
【請求項６】
前記天井吊り下げ物は、前記一対の取付片が設けられた前記側面に、前記締着部材によって保持されるカバーを有しており、
前記第２係合部は、前記一対の取付片が設けられた前記側面における前記締着部材の位置に対応する位置に設けられることを特徴とする請求項５に記載の振れ止め装置。
【請求項７】
前記一対の取付片と前記保持部との間において前記ボルト部材に装着され、前記一対の取付片が設けられた前記側面に対して係合する係合部材を更に有することを特徴とする請求項１乃至６のいずれかに記載の振れ止め装置。
【発明の詳細な説明】
【技術分野】
【０００１】
本発明は、隠蔽式の空気調和機などの天井吊り下げ物を振れ止めするための振れ止め装置に関する。
【背景技術】
【０００２】
従来、天井空間に隠蔽された状態に設置される空気調和機が知られている（例えば、特許文献１，２）。この隠蔽式の空気調和機は、平面視略矩形状であり、互いに平行な二つの側面のそれぞれの下部近傍位置に、吊りボルトなどのボルト部材を連結するための一対の取付片を備えている。そのような隠蔽式の空気調和機を天井空間に設置する場合、二つの側面のそれぞれに設けられている一対の取付片に対して、天井スラブなどの天井構造から垂下するボルト部材の下端部が連結される。すなわち、隠蔽式の空気調和機は、合計４本のボルト部材によって互いに平行な二つの側面の下部近傍が支持された状態で天井空間に設置される。
【０００３】
図１１は、隠蔽式の空気調和機３００を天井空間に設置した状態における従来の支持構造２００を示す図である。図１１に示すように、従来の支持構造２００は、天井スラブなどの天井構造３から吊りボルトなどのボルト部材２０９が垂下しており、そのボルト部材２０９の下端部において空気調和機３００を支持する構造である。空気調和機３００は、側面の下部近傍位置にボルト部材２０９を連結するための一対の取付片３１１，３１１を備えており、その一対の取付片３１１，３１１にボルト部材２０９の下端部が連結される。これにより、空気調和機３００は、天井空間に吊り下げられた状態で支持される。
【０００４】
空気調和機３００がボルト部材２０９によって吊り下げられた状態に設置されると、空気調和機３００を振れ止めするためのブレース２１３がボルト部材２０９に取り付けられる。ブレース２１３は、互いに隣り合う２本のボルト部材２０９どうしを連結するように斜め方向に配置され、一方のボルト部材２０９の上部と他方のボルト部材２０９の下部とを連結固定する。隣り合う２本のボルト部材２０９，２０９の間に２本のブレース２１３が交叉配置されることにより、ボルト部材２０９，２０９が固定され、空気調和機３００を振れ止めすることができる。
【先行技術文献】
【特許文献】
【０００５】
【特許文献１】特開平７−７１７８９号公報
【特許文献２】特開２００１−３３０２７２号公報
【発明の概要】
【発明が解決しようとする課題】
【０００６】
しかしながら、上述した従来の支持構造２００は、ブレース２１３を空気調和機３００の上面よりも高い位置でボルト部材２０９，２０９に連結する構造である。そのため、ボルト部材２０９，２０９の下部（図１１に示す領域Ｒの部分）においてブレース２１３による振れ止め効果を得られない。その結果、地震発生時にはボルト部材２０９，２０９の下部が振動し、それに伴って空気調和機３００も振動してしまうという問題がある。
【０００７】
特に、隠蔽式の空気調和機３００は、装置本体に対して吸気ユニットや吹出ユニットが接続され、それら各ユニットに対してさらに送風ダクトが接続されることがあり、装置本体が振動すると、装置本体と各ユニットとの接続部や、各ユニットと送風ダクトとの接続部が破損する可能性がある。
【０００８】
そこで本発明は、上記問題点を解決するためになされたものであり、隠蔽式の空気調和機などの天井吊り下げ物を支持するボルト部材の下部を固定し、天井吊り下げ物を振れ止めする効果を従来よりも有効に発揮できることができるようにした振れ止め装置を提供することを目的とする。
【課題を解決するための手段】
【０００９】
上記目的を達成するため、第１に、本発明は、  平面視略矩形状であり、互いに平行な二つの側面のそれぞれの下部近傍においてボルト部材(9,55)を連結するための一対の取付片(111,111)が水平方向に所定間隔を隔てて設けられた天井吊り下げ物(100)の振れ止め装置(1)であって、前記天井吊り下げ物(100)の前記一対の取付片(111,111)が設けられた前記側面の上端近傍位置において前記天井吊り下げ物(100)に取り付けられ、前記一対の取付片(111,111)が設けられた前記側面に対して直角方向に延設された保持部(11)を有し、前記保持部(11)が前記ボルト部材(9,55)を前記一対の取付片(111,111)の上方で前記天井吊り下げ物(100)に連結して保持することを特徴とする構成である。
【００１０】
第２に、本発明は、上記第１の構成を有する振れ止め装置(1)において、前記天井吊り下げ物(100)の上面に対して位置決めされた状態で配置される平板部(10)を更に有し、前記保持部(11)は、前記平板部(10)から前記一対の取付片(111,111)の上方に延設され、前記一対の取付片(111,111)に連結される前記ボルト部材(9,55)を、前記一対の取付片(111,111)の上方で保持することを特徴とする構成である。
【００１１】
第３に、本発明は、上記第２の構成を有する振れ止め装置(1)において、前記平板部(10)の両端に設けられる第１係合部(12)を更に有し、前記第１係合部(12)が前記天井吊り下げ物(100)の正面及び背面の上端部に係合することを特徴とする構成である。
【００１２】
第４に、本発明は、上記第２又は第３の構成を有する振れ止め装置(1)において、前記平板部(10)に設けられ、前記一対の取付片(111,111)が設けられた前記側面の上端部に係合する第２係合部(13)を更に有することを特徴とする構成である。
【００１３】
第５に、本発明は、上記第４の構成を有する振れ止め装置(1)において、前記第２係合部(13)は、締着部材(113)によって前記一対の取付片(111,111)が設けられた前記側面の上端部に係合した状態で固定されることを特徴とする構成である。
【００１４】
第６に、本発明は、上記第５の構成を有する振れ止め装置(1)において、前記天井吊り下げ物(100)は、前記一対の取付片(111,111)が設けられた前記側面に、前記締着部材(113)によって保持されるカバー(112)を有しており、前記第２係合部(13)は、前記一対の取付片(111,111)が設けられた前記側面における前記締着部材(113)の位置に対応する位置に設けられることを特徴とする構成である。
【００１５】
第７に、本発明は、上記第１乃至第６のいずれかの構成を有する振れ止め装置(1)において、前記一対の取付片(111,111)と前記保持部(13)との間において前記ボルト部材(9,55)に装着され、前記一対の取付片(111,111)が設けられた前記側面に対して係合する係合部材(60)を更に有することを特徴とする構成である。
【発明の効果】
【００１６】
本発明によれば、隠蔽式の空気調和機などの天井吊り下げ物を支持するボルト部材の下部を固定することができるため、天井吊り下げ物を振れ止めする効果を従来よりも有効に発揮することができるようになる。
【図面の簡単な説明】
【００１７】
【図１】振れ止め装置を含む天井吊り下げ物の支持構造を示す斜視図である。
【図２】天井吊り下げ物に対して振れ止め装置が取り付けられた状態を示す図である。
【図３】振れ止め装置を用いて天井吊り下げ物を天井空間に設置した状態における支持構造を示す図である。
【図４】振れ止め装置の平板部が段差を有する態様を示す図である。
【図５】段差を有する振れ止め装置を用いて天井吊り下げ物を天井空間に設置した状態における支持構造を示す図である。
【図６】天井吊り下げ物の別の態様を例示する図である。
【図７】天井吊り下げ物を支持するフレーム枠体を例示する図である。
【図８】フレーム枠体を用いて天井吊り下げ物を天井空間に設置した状態における支持構造を示す図である。
【図９】係合部材を備える振れ止め装置の構成例を示す図である。
【図１０】係合部材を備える振れ止め装置が取り付けられた状態を示す図である。
【図１１】従来の隠蔽式空気調和機の支持構造を示す図である。
【発明を実施するための形態】
【００１８】
以下、本発明の好ましい実施形態について図面を参照しつつ詳細に説明する。尚、以下において参照する各図面では互いに共通する部材に同一符号を付しており、それらについての重複する説明は省略する。
【００１９】
図１は、本発明の一実施形態である振れ止め装置１を含む天井吊り下げ物の支持構造を示す斜視図である。図１に示すＸＹＺ三次元座標系は、ＸＹ平面を水平面とし、Ｚ方向を鉛直方向とする座標系であり、他の図においても共通する座標系である。本実施形態の振れ止め装置１は、天井吊り下げ物を天井空間に吊り下げた状態で支持するボルト部材９の下部を固定し、天井吊り下げ物を振れ止めする装置である。本実施形態では、天井吊り下げ物として、隠蔽式の空気調和機１００を例示する。この空気調和機１００は、天井スラブなどの天井構造と天井パネルとの間の天井空間に隠蔽された状態で設置される。空気調和機１００は、例えば、空気調和機本体１１０と、空気調和機本体１１０に装着されるフィルタユニット１２０とを備えている。
【００２０】
空気調和機本体１１０は、平面視略矩形状の箱形ユニットであり、正面１１０ｃに設けられる開口部１１８から空気を取り込んで熱交換を行い、背面１１０ｄに設けられる開口部（図示を省略）から温度調整した空気を吹き出す機能を有している。フィルタユニット１２０は、空気調和機本体１１０の正面１１０ｃの開口部１１８に装着され、空気調和機本体１１０に取り込まれる空気を清浄化する機能を有している。フィルタユニット１２０は、その背面側に、空気調和機本体１１０の開口部１１８に装着される装着部１２２を有しており、装着部１２２が開口部１１８に装着されることで空気調和機本体１１０に取り付けられる。また、フィルタユニット１２０の正面側には空気を取り込むための開口部１２０ａが設けられており、その開口部１２０ａから取り込まれる空気は、フィルタユニット１２０の内部に設けられるフィルタ１２１を通過することよって埃などの微細物が取り除かれて清浄化される。
【００２１】
空気調和機本体１１０は、正面１１０ｃ及び背面１１０ｄの両端に設けられる互いに平行な二つの側面１１０ａ，１１０ｂのそれぞれの下部近傍に、吊りボルトなどのボルト部材９を連結するための一対の取付片１１１を備えている。これら一対の取付片１１１は、空気調和機本体１１０の側面１１０ａ，１１０ｂにおいて水平方向に所定間隔を隔てて設けられており、概ね側面１１０ａ，１１０ｂの両端近傍位置に設けられる。各取付片１１１は、例えばＵ字状に切り欠いた挿通部を有しており、その挿通部にボルト部材９を挿通することが可能である。そしてボルト部材９に２つのナット１５１，１５２を装着した状態でボルト部材９の下端部を取付片１１１の挿通部に挿通し、２つのナット１５１，１５２で取付片１１１を挟み込むことにより、ボルト部材９の下端部が取付片１１１に連結される。このようにして各取付片１１１にボルト部材９の下端部が連結されることにより、空気調和機本体１１０は、ボルト部材９によって支持される状態となる。
【００２２】
また空気調和機本体１１０の側面１１０ａ，１１０ｂには、内部機構を隠蔽するためのカバー１１２が装着される。このカバー１１２は、空気調和機本体１１０の側面１１０ａ，１１０ｂの周縁部に沿って取り付けられるビスなどの締着部材１１３によって空気調和機本体１１０の側面１１０ａ，１１０ｂに取り付けられる。
【００２３】
上記のように構成される空気調和機１００は、フィルタユニット１２０が空気調和機本体１１０に装着されることにより、空気調和機本体１１０とフィルタユニット１２０とが一体化された天井吊り下げ物となる。そのため、空気調和機１００は、空気調和機本体１１０の側面１１０ａ，１１０ｂのそれぞれの下部近傍に設けられている一対の取付片１１１に連結されるボルト部材９によって空気調和機本体１１０とフィルタユニット１２０とが一体的に支持される。
【００２４】
本実施形態の振れ止め装置１は、上記のような空気調和機１００の側面１１０ａ，１１０ｂに設けられた取付片１１１に連結されるボルト部材９を空気調和機１００に対して固定することにより、ボルト部材９の下部の振動を抑制し、空気調和機１００を振れ止めする。この振れ止め装置１は、互いに対称な形状を有る一対の振れ止め部材１ａ，１ｂによって構成される。振れ止め部材１ａは空気調和機１００の一方の側面１１０ａの上端部に設置され、側面１１０ａの取付片１１１に連結されるボルト部材９を、取付片１１１よりも高い位置で空気調和機１００の側面１１０ａに固定する。また、振れ止め部材１ｂは空気調和機１００の他方の側面１１０ｂの上端部に設置され、側面１１０ｂの取付片１１１に連結されるボルト部材９を、取付片１１１よりも高い位置で空気調和機１００の側面１１０ｂに固定する。以下においては、振れ止め部材１ａ，１ｂのそれぞれを振れ止め装置１と総称して説明する。
【００２５】
振れ止め装置１は、空気調和機１００の取付片１１１が設けられた側面１１０ａ，１１０ｂの上端近傍位置において空気調和機１００に取り付けられ、取付片１１１が設けられた側面１１０ａ，１１０ｂに対して直角方向（水平方向）に延設された保持部１１を有し、その保持部１１がボルト部材９を取付片１１１の上方位置で空気調和機１００に連結して保持することにより、ボルト部材９の振れ止め効果を発揮するように構成される。このような振れ止め装置１は、空気調和機１００に対して相対変位しないように位置決めされることが好ましい。そのため、本実施形態の振れ止め装置１は、空気調和機１００の上面に沿うように配置され、空気調和機１００の一方の側面１１０ａ（又は１１０ｂ）と係合すると共に、空気調和機１００の正面側及び背面側と係合することにより、ＸＹ平面内において空気調和機１００に対して相対変位しないように構成される。以下、このような振れ止め装置１について詳しく説明する。
【００２６】
振れ止め装置１は、空気調和機１００の上面に沿うように配置される帯状の平板部１０を有している。この平板部１０は、空気調和機１００の上面に対して位置決めされた状態に配置される。平板部１０の長手方向（Ｙ方向）の長さは、空気調和機１００の側面１１０ａ，１１０ｂの長さ（空気調和機本体１１０とフィルタユニット１２０とを合わせた空気調和機１００全体の側面１１０ａ，１１０ｂの長さ）と略等しく、その平板部１０の両端に空気調和機１００の正面及び背面の上端部に係合する第１係合部１２が設けられている。例えば、第１係合部１２は、平板部１０の両端部を下方に９０度折り曲げることにより形成される。このような第１係合部１２が空気調和機１００の正面及び背面の上端部に係合することにより、平板部１０は、空気調和機１００の上面においてＹ方向に相対変位しないように位置決めされる。
【００２７】
また、平板部１０の短尺方向（Ｘ方向）の長さ（幅）は、概ね１０〜２０ｃｍ程度に形成されると共に、長手方向両端部の幅が中央部の幅よりも大きくなるように形成される。言い換えると、平板部１０は、長手方向両端部が空気調和機１００の側面１１０ａ，１１０ｂを超えて外側に張り出すように、長手方向中央部よりも幅広に形成されている。したがって、平板部１０の中央部の端が空気調和機１００の上面１１０ｅの端に合致するように配置されると、平板部１０の両端部に設けられた幅広の部分が空気調和機１００の側面１１０ａ，１１０ｂから更に外側に張り出した棚状構造を形成する。振れ止め装置１は、その棚状構造となる部分を、ボルト部材９を保持する部分として利用する。すなわち、振れ止め装置１は、空気調和機１００の上面１１０ｅから側面１１０ａ，１１０ｂを超えて更に側方に延設される棚状の保持部１１を有しており、その保持部１１によって、取付片１１１に連結されたボルト部材９を保持するようにしている。
【００２８】
保持部１１には、ボルト部材９を挿通可能な挿通部１４が形成されている。挿通部１４は、ボルト部材９を挿通可能な孔であっても良いし、Ｕ字状に開放された切欠部であっても構わない。この挿通部１４は、空気調和機１００の各側面１１０ａ，１１０ｂに設けられている取付片１１１の上方に位置し、取付片１１１よりも高い位置（空気調和機１００の上面１１０ｅと略等しい位置）でボルト部材９を挿通することができる。
【００２９】
また、平板部１０の中央部には、空気調和機１００の側面１１０ａ，１１０ｂの上端部に係合する第２係合部１３が設けられる。この第２係合部１３は、第１係合部１２と同様に、例えば平板部１０の中央部の端から延設させた折曲片を下方に９０度折り曲げることにより形成される。このような第２係合部１３は、空気調和機１００の側面１１０ａ，１１０ｂに装着されるカバー１１２を固定するための締着部材１１３の位置に対応するように設けられる。そして第２係合部１３には、締着部材１１３を挿通するための挿通部１５が予め形成されている。この挿通部１５も、上述した挿通部１４と同様に、締着部材１１３を挿通可能な孔であっても良いし、Ｕ字状に開放された切欠部であっても構わない。
【００３０】
上記のように構成される振れ止め装置１は、図１に示すような態様で空気調和機１００に配置される。すなわち、振れ止め装置１は、平板部１０の下面が空気調和機１００の上面１１０ｅに沿うように配置され、平板部１０の長手方向両端部に設けられる第１係合部１２，１２が空気調和機１００の正面及び背面の上端部に係合し、且つ、平板部１０の中央部に設けられる第２係合部１３が空気調和機１００の一方の側面１１０ａ，１１０ｂの上端部に係合する状態に配置される。そのため、振れ止め装置１は、空気調和機１００に対してＸ方向及びＹ方向に相対変位しないように位置決めされた状態で設置される。
【００３１】
また、空気調和機１００の側面１１０ａ，１１０ｂに取り付けられている複数の締着部材１１３のうち、第２係合部１３の位置に適合する締着部材１１３を予め空気調和機１００から外しておき、振れ止め装置１の平板部１０を、空気調和機１００の上面１１０ｅに沿うように配置し、且つ、第２係合部１３に設けられている挿通部１５を締着部材１１３の取付位置に適合するように配置した後、締着部材１１３を側面１１０ａ，１１０ｂに設けられている孔に挿入して締め付ける。これにより、空気調和機１００のカバー１１２を固定するための締着部材１１３は、カバー１１２と共に、振れ止め装置１の第２係合部１３を空気調和機１００に固定することができる。このように第２係合部１３を空気調和機１００の側面１１０ａ，１１０ｂに固定すると、振れ止め装置１は、空気調和機１００に対して固定されることになる。
【００３２】
また、振れ止め装置１は、上記のようにして平板部１０が空気調和機１００の上面１１０ｅに沿うように配置された状態でボルト部材９が保持部１１の挿通部１４に挿通され、保持部１１を挟んでボルト部材９の上下に予め装着しておいた２つのナット２１，２２が締め付けられることにより、保持部１１が取付片１１１よりも上方の位置でボルト部材９を保持した状態となる。そして振れ止め装置１は、空気調和機１００の側面１１０ａ，１１０ｂに設けられている取付片１１１よりも上側の位置においてボルト部材９を空気調和機１００に固定した状態となる。つまり、振れ止め装置１は、空気調和機１００に予め装着されている締着部材１１３を利用して空気調和機１００の側面１１０ａ，１１０ｂに固定することができるのである。そのため、振れ止め装置１を空気調和機１００に固定するときには、空気調和機１００の側面１１０ａ，１１０ｂに対して新たな孔を開ける必要がなく、作業効率に優れている。
【００３３】
図２は、空気調和機１００に対して振れ止め装置１が取り付けられた状態を示す図であり、図２（ａ）はその斜視図を、図２（ｂ）はその正面図を示している。振れ止め装置１は、空気調和機本体１１０とフィルタユニット１２０とが一体的に組み付けられた状態の空気調和機１００の上面１１０ｅに沿うように配置され、平板部１０の長手方向両端部に設けられた２つの第１係合部１２，１２のうち、一方の第１係合部１２がフィルタユニット１２０の正面の上端部に係合し、他方の第１係合部１２が空気調和機本体１１０の背面の上端部に係合するように配置される。これらの第１係合部１２は、ビスなどの締着部材１９を用いて空気調和機本体１１０又はフィルタユニット１２０に対して固定するようにしても良い。
【００３４】
また、平板部１０の中央部に設けられた第２係合部１３は、空気調和機１００の側面１１０ａ，１１０ｂに接合するように配置され、締着部材１１３が締め付けられることにより、空気調和機１００の側面１１０ａ，１１０ｂに固定される。これにより、振れ止め装置１は、空気調和機１００に対して固定される。
【００３５】
そして振れ止め装置１の平板部１０から側方に張り出した保持部１１の挿通部１４に挿通されたボルト部材９が２つのナット２１，２２によって保持部１１に固定されると、振れ止め装置１は、図２（ａ）及び（ｂ）に示すように、取付片１１１の上方位置（空気調和機１００の上面近傍位置）でボルト部材９を空気調和機１００に固定することができる。
【００３６】
図３は、振れ止め装置１を用いて空気調和機１００を天井空間に設置した状態における支持構造３０を示す図である。図３に示すように、この支持構造３０は、天井スラブなどの天井構造３から吊りボルトなどのボルト部材９が垂下しており、そのボルト部材９の下端部が空気調和機１００の取付片１１１に連結され、空気調和機１００を吊り下げた状態で支持する構造である。
【００３７】
図３に示すように、空気調和機１００がボルト部材９によって吊り下げられた状態に設置されると、空気調和機１００を振れ止めするためのブレース３２がボルト部材９に取り付けられる。例えば、ボルト部材９の上部（天井構造３の近傍位置）及び下部（空気調和機１００の上面近傍位置）にブレース連結部材３１が取り付けられ、ブレース３２の端部がそのブレース連結部材３１に連結されることにより、ブレース３２は、ボルト部材９に取り付けられる。ブレース３２は、互いに隣り合う２本のボルト部材９どうしを連結するように斜め方向に配置され、一方のボルト部材９の上部と他方のボルト部材９の下部とを連結する。隣り合う２本のボルト部材９，９の間に２本のブレース３２が交叉配置されることにより、２つのボルト部材９，９が相対変位しないように固定され、上下２つのブレース連結部材３１の間に位置するボルト部材９の振動を抑制することができる。
【００３８】
また、空気調和機１００の上面１１０ｅに沿うように設置した振れ止め装置１は、取付片１１１と振れ止め装置１（より厳密には保持部１１）との間においてボルト部材９が相対変位することを抑制する。つまり、振れ止め装置１は、ブレース連結部材３１よりも下側において、ボルト部材９を取付片１１１とは異なる高さ位置で空気調和機１００に固定しているため、空気調和機１００の側方の上下２箇所でボルト部材９を位置決めすることができ、ブレース連結部材３１の下方においてボルト部材９の下部（図３に示す領域Ｌの部分）が振動することを抑制することができるのである。その結果、地震発生時においても、ボルト部材９の下部が振動することを抑制することができ、空気調和機１００の振動を有効に抑えることができるという利点がある。
【００３９】
上記のような振れ止め装置１は、空気調和機１００を天井構造３の高さ位置まで持ち上げる前に、予め床面上の作業で予め空気調和機１００に取り付けておくことが可能である。そのため、振れ止め装置１を予め床面上で空気調和機１００に取り付けておけば、高所作業の負担を軽減することができる。
【００４０】
また上述した振れ止め装置１は、フィルタユニット１２０が空気調和機本体１１０に装着された状態において平板部１０の両端部に設けた２つの第１係合部１２，１２がフィルタユニット１２０と空気調和機本体１１０との双方に係合する。そのため、振れ止め装置１は、空気調和機本体１１０だけでなく、空気調和機本体１１０とフィルタユニット１２０との双方を振れ止めする効果を発揮する。
【００４１】
ところで、空気調和機本体１１０に装着されるフィルタユニット１２０の正面サイズ（ＸＺ平面のサイズ）は、空気調和機本体１１０の正面サイズと異なることがある。そのような場合、振れ止め装置１は、平板部１０の両端部に設けている２つの保持部１１のうち、フィルタユニット１２０の正面上端部に係合する第１係合部１２が設けられている保持部１１をフィルタユニット１２０の正面サイズに応じて途中で屈曲させたものを用いれば良い。
【００４２】
図４は、フィルタユニット１２０の正面サイズが空気調和機本体１１０の正面サイズと異なる空気調和機１００に取り付けられる振れ止め装置１を示す図である。図４の例では、フィルタユニット１２０の正面サイズが空気調和機本体１１０の正面サイズよりも大きい場合を示している。この場合の振れ止め装置１は、空気調和機本体１１０に装着されているフィルタユニット１２０の装着部１２２の近傍位置に屈曲部１８が設けられ、その屈曲部１８よりも先端部分がフィルタユニット１２０の上面に沿うように配置される。この屈曲部１８の高さは、フィルタユニット１２０のサイズに応じて適宜設計すれば良い。このように平板部１０（又は保持部１１）に屈曲部１８を設けることにより、振れ止め装置１は、フィルタユニット１２０と空気調和機本体１１０とのサイズが互いに異なる場合であっても、平板部１０をそれぞれの上面に沿うように配置することができる。そのため、振れ止め装置１が空気調和機１００に固定されると、振れ止め装置１は、空気調和機１００と一体的な天井吊り下げ物となる。
【００４３】
図５は、振れ止め装置１を用いてフィルタユニット１２０と空気調和機本体１１０のサイズが異なる空気調和機１００を天井空間に設置した状態における支持構造３０を示す図である。図５に示すように、振れ止め装置１に屈曲部１８を設けることにより、振れ止め装置１は、平板部１０をフィルタユニット１２０と空気調和機本体１１０との双方の上面に沿うように配置することができる。そのため、振れ止め装置１は、フィルタユニット１２０と空気調和機本体１１０のサイズが異なる場合であっても、空気調和機本体１１０とフィルタユニット１２０との双方を有効に振れ止めすることが可能である。
【００４４】
次に図６は、フィルタユニット１２０の正面側に吸気ユニット１３０が配置され、空気調和機本体１１０の背面側に吹出ユニット１４０が配置された空気調和機１００を例示する図である。上述した振れ止め装置１は、例えば板厚が数ミリメートル程度の比較的薄い金属板を加工して形成されるため、平板部１０の両端部に設けられている第１係合部１２が空気調和機本体１１０及びフィルタユニット１２０の上端部に係合している場合であっても、フィルタユニット１２０の正面側に吸気ユニット１３０を適切に配置することができ、また空気調和機本体１１０の背面側に吹出ユニット１４０を適切に配置することができる。このとき、第１係合部１２は、フィルタユニット１２０と吸気ユニット１３０との間、又は、空気調和機本体１１０と吹出ユニット１４０との間に挟まれた状態で固定される。そのため、第１係合部１２は、上述した締着部材１９を用いて空気調和機本体１１０又はフィルタユニット１２０に固定する必要がない。上述した振れ止め装置１は、フィルタユニット１２０の正面側に吸気ユニット１３０が配置される場合、又は、空気調和機本体１１０の背面側に吹出ユニット１４０が配置される場合であっても、有効に使用することができる。
【００４５】
図７は、空気調和機本体１１０、フィルタユニット１２０、吸気ユニット１３０及び吹出ユニット１４０が一体的に組み付けられた空気調和機１００を支持するフレーム枠体４０を例示する図である。フレーム枠体４０は、空気調和機本体１１０、フィルタユニット１２０、吸気ユニット１３０及び吹出ユニット１４０を一体的に組み付けた空気調和機１００を支持する装置である。このフレーム枠体４０は、複数の上段フレーム材４１，４２，４３，４４と、複数の下段フレーム材４５，４６とが井桁状に組み付けられて構成される矩形状の金属枠体である。各フレーム材４１〜４６には、長手方向に沿って上下に貫通するスリット４８が形成されており、そのスリット４８の任意の位置にボルト部材を差し込むことができる。
【００４６】
上段フレーム材４１，４２，４３，４４及び下段フレーム材４５，４６は、直交連結金具５１によって互いに直交する状態に固定される。直交連結金具５１は、上段フレーム材４１，４２，４３，４４のスリット４８と、下段フレーム材４５，４６のスリット４８に挿通したボルト部材にナットを装着し、そのナットで締め付けることにより、上段フレーム材４１，４２，４３，４４と下段フレーム材４５，４６とを直交させた状態に固定する金具である。直交連結金具５１のボルト部材とナットとを緩めると、上段フレーム材４１，４２，４３，４４及び下段フレーム材４５，４６が交叉する位置を調整することが可能であり、フレーム枠体４０の矩形サイズを調整することができる。
【００４７】
例えば、下段フレーム材４５，４６は、空気調和機１００の長手方向（Ｙ方向）の長さと同程度の長さを有しており、互いの間隔が空気調和機１００の幅方向（Ｘ方向）の長さと同程度となるように配置される。上段フレーム材４１，４２，４３，４４は、下段フレーム材４５，４６の上側に配置される。上段フレーム材４１，４２，４３，４４のうち、２つの上段フレーム材４１，４４は、空気調和機１００の幅方向（Ｘ方向）の長さと同程度の長さを有しており、互いの間隔が空気調和機１００の長手方向（Ｙ方向）の長さと同程度となるように配置される。また残りの２つの上段フレーム材４２，４３は、空気調和機１００の幅方向（Ｘ方向）の長さよりも長く形成されており、互いの間隔が吊りボルトなどのボルト部材９の設置間隔に合致する間隔に配置される。
【００４８】
上記のようなフレーム枠体４０は、下段フレーム材４５，４６のスリット４８に空気調和機１００を支持するボルト部材５５，５６が装着されると共に、上段フレーム材４２，４３のスリット４８に吊りボルトなどのボルト部材９を連結するための連結部５２が装着される。図７の例では、連結部５２に防振ハンガーが用いられる場合を示している。防振ハンガーは、空気調和機１００の運転中に発生する振動をボルト部材９に伝達しないようにしてフレーム枠体４０とボルト部材９とを連結する金具であり、箱形枠体の下端が上段フレーム材４２，４３に固定されており、箱形枠体の内部に設けられたスプリングバネなどの弾性部材に対してボルト部材９の下端部が接続される。つまり、防振ハンガーは、弾性部材が振動を吸収することで、空気調和機１００の振動をボルト部材９に伝達させないようにしている。
【００４９】
尚、連結部５２は、防振ハンガーを用いるものに限られない。すなわち、連結部５２は、吊りボルトなどのボルト部材９をフレーム枠体４０に連結することができればどのような構造であっても構わない。
【００５０】
下段フレーム材４５，４６に装着されるボルト部材５５は、その下端部が空気調和機１００の側面１１０ａ，１１０ｂに設けられている取付片１１１に連結され、取付片１１１よりも上方の位置が振れ止め装置１によって保持され、空気調和機１００の上面と略同じ高さ位置で空気調和機１００に固定される。したがって、地震が発生したとしても、フレーム枠体４０から垂下するボルト部材５５は、振動することがない。
【００５１】
また下段フレーム材４５，４６に装着されるボルト部材５６は、吸気ユニット１３０及び吹出ユニット１４０のそれぞれの上面に連結され、吸気ユニット１３０及び吹出ユニット１４０を支持する。このボルト部材５６は、ボルト部材５５と比較すると長さが短いため、地震発生時において大きく振動することはない。
【００５２】
したがって、空気調和機１００の吸気ユニット１３０や吹出ユニット１４０に対してさらに送風ダクトが接続されるとしても、空気調和機１００の振動を抑えることができるので、吸気ユニット１３０と送風ダクトとの接続部又は吹出ユニット１４０と送風ダクトとの接続部が破損することはない。
【００５３】
上記のようなフレーム枠体４０は、床面上の作業で空気調和機１００に取り付けておくことができる。そのため、床面上の作業でフレーム枠体４０を予め空気調和機１００に組み付けた後、昇降機などを用いてフレーム枠体４０と空気調和機１００とを一体的に天井構造３の近傍位置まで持ち上げ、連結部５２に対して天井構造３から垂下する吊りボルトなどのボルト部材９を連結することにより、空気調和機１００を天井空間に設置することができる。このとき、連結部５２の位置がボルト部材９の位置に合致しなければ、連結部５２の取付位置をＸ方向に移動させたり、或いは、上段フレーム材４２，４３の取付位置をＹ方向に移動させたりすることにより、連結部５２とボルト部材９との位置を簡単に合致させることができる。そのため、空気調和機１００を天井空間に設置する際の高所作業を効率的に行うことができるという利点がある。
【００５４】
図８は、フレーム枠体４０を用いて空気調和機１００を天井空間に設置した状態における支持構造３０を示す図である。図８に示すように、振れ止め装置１を用いてボルト部材５５が固定された空気調和機１００を、フレーム枠体４０を用いて天井空間に設置することにより、吸気ユニット１３０又は吹出ユニット１４０の上方に梁２１０や配管２２０などの障害物が存在する場合であっても、空気調和機１００を適切な位置に設置することが可能であるという利点がある。
【００５５】
以上、本発明の一実施形態について説明したが、本発明は、上記実施形態において説明したものに限定されるものではない。すなわち、本発明には、上記実施形態において説明したものに種々の変形例を適用したものの含まれる。
【００５６】
例えば、上記実施形態においては、振れ止め装置１が、主として、空気調和機本体１１０とフィルタユニット１２０との上面に沿うように配置される場合を例示した。しかし、上述したように吸気ユニット１３０や吹出ユニット１４０が装着される場合、振れ止め装置１は、平板部１０を長手方向に更に長くし、吸気ユニット１３０や吹出ユニット１４０の上面にも沿うように配置されるようにしても良い。この場合、第１係合部１２は、吸気ユニット１３０や吹出ユニット１４０の上端部に係合するように配置される構成とすれば良い。また、振れ止め装置１は、空気調和機本体１１０の上面だけに配置される構造であっても構わない。
【００５７】
また、上記実施形態では、平板部１０の両端部に第１係合部１２が設けられると共に、平板部１０の中央部に第２係合部１３が設けられる場合を例示した。これら第１係合部１２及び第２係合部１３は、振れ止め装置１が空気調和機１００に対して相対変位しないように位置決めするためのものである。しかし、平板部１０が例えばビスなどの締着部材を用いて空気調和機１００の上面に固定される場合は、第１係合部１２及び第２係合部１３を設けることは必須ではない。
【００５８】
また、上記実施形態で説明した振れ止め装置１は、取付片１１１と保持部１１との間でボルト部材９に装着され、空気調和機１００の側面１１０ａ，１１０ｂに係合する係合部材を備えるものであっても良い。図９及び図１０は、そのような係合部材６０を備える振れ止め装置１の例を示す図である。この振れ止め装置１は、図９に示すように保持部１１の下方においてボルト部材９に装着される係合部材６０を備えている。この係合部材６０は、例えば、ＸＹ平面内に配置される横板部６２とＹＺ平面内に配置される縦板部５３とを備える概略Ｌ字状の係合金具６１と、２つのナット５４，５５とによって構成される。横板部６２には、ボルト部材９を挿通する挿通部６４が設けられる。この挿通部６４は、孔であっても良いし、Ｕ字状に開放された切欠部であっても良い。挿通部６４にボルト部材９が挿通され、横板部６２を挟んで上下に２つのナット６５，６６が締着されると、縦板部６３は、空気調和機１００の側面１１０ａ，１１０ｂと接合した状態となる。すなわち、係合部材６０が装着されると、図１０に示すように係合部材６０は、縦板部６３を空気調和機１００の側面１１０ａ，１１０ｂに押し当てた状態となる。そのため、このような係合部材６０を用いれば、ボルト部材９のＸ方向の振動を防止することができる。また、このような係合部材６０は、上述した第２係合１３の代わりに用いることもできる。そのため、図９及び図１０に示すような係合部材６０を使用する場合には、平板部１０に対して上述した第２係合部１３を設けなくても良い。
【００５９】
また、上記実施形態では、天井吊り下げ物の一例として空気調和機１００を例示した。しかし、上述した振れ止め装置１を適用可能な天井吊り下げ物は、空気調和機１００に限られない。すなわち、天井吊り下げ物は、平面視略矩形状であり、互いに平行な側面のそれぞれの下部近傍に、ボルト部材９を連結するための取付片１１１が設けられているものであれば良い。
【００６０】
また、上記実施形態では、空気調和機１００の左右両側に設置される一対の振れ止め部材１ａ，１ｂがそれぞれ別体として構成される場合を例示した。しかし、これに限られるものではなく、一対の振れ止め部材１ａ，１ｂを一体化した構造として実現しても良い。
【００６１】
また、上記実施形態では、空気調和機１００が設置される天井構造の一例として天井スラブを例示した。しかし、空気調和機１００が設置される天井構造は、必ずしも天井スラブに限られない。例えば、天井空間に鋼材などが組み付けられて構成される構造物などが存在する場合は、そのような構造物などに対して空気調和機１００が設置されるものであっても構わない。
【符号の説明】
【００６２】
１…振れ止め装置、９…ボルト部材、１０…平板部、１１…保持部、１２…第１係合部、１３…第２係合部、１４…挿通部、１５…挿通部、１９…締着部材、１００…空気調和機（天井吊り下げ物）、１１１…取付片、１１３…締着部材。
【図１】
2020169654.tif 000003
【図２】
2020169654.tif 000004
【図３】
2020169654.tif 000005
【図４】
2020169654.tif 000006
【図５】
2020169654.tif 000007
【図６】
2020169654.tif 000008
【図７】
2020169654.tif 000009
【図８】
2020169654.tif 000010
【図９】
2020169654.tif 000011
【図１０】
2020169654.tif 000012
【図１１】
2020169654.tif 000013